(57)【要約】【課題】ハウリングを起こし難く、外耳道の中が蒸れず、且つ、ランニングコストが安い補聴器を安価に提供する。【解決手段】伝導型振動子１１と、通信機能とアプリを実行する機能とを有する携帯機器２０と、携帯機器２０にダウンロードされた伝導型補聴器用アプリ４０とを備える。携帯機器２０には伝導型振動子１１に特有の補正パターンデータ３１が予め記憶されている。伝導型補聴器用アプリ４０は、携帯機器２０に、周波数帯別のゲインを補正パターンデータ３１に基づいて設定し、音声入力機器２１が拾った音声信号を増幅させ、伝導型振動子１１へ出力させる。好ましくは、携帯機器２０には、さらに、ユーザに特有の難聴パターンデータが予め記憶されており、伝導型補聴器用アプリ４０は、携帯機器２０に、周波数帯別のゲインを、補正パターンデータ３１及び難聴パターンデータ４１に基づいて設定し音声信号を増幅させ、伝導型振動子１１へ出力させる。【選択図】図４
2014236439.tif 000002
【特許請求の範囲】
【請求項１】
伝導型補聴器であって、
人体の表皮に接触させて、当該接触部分から体組織を振動させることにより音を伝える伝導型振動子と、
通信機能とアプリケーションソフトウェア（以下「アプリ」と記す）を実行する機能とを有する携帯機器と、
前記携帯機器にダウンロードされた伝導型補聴器用アプリとを備え、
前記携帯機器には、
周囲の音声を拾って音声信号に変換する音声入力機器が内蔵されるか、あるいは、接続されており、前記伝導型振動子に特有の特性を反映した補正パターンデータが予め記憶されており、
前記伝導型補聴器用アプリは、
前記携帯機器に、周波数帯別のゲインを前記補正パターンデータに基づいて設定し、前記音声入力機器が拾った音声信号を増幅させ、前記伝導型振動子へ出力させることを特徴とする伝導型補聴器。
【請求項２】
前記携帯機器には、さらに、
ユーザに特有の特性を反映した難聴パターンデータが予め記憶されており、
前記伝導型補聴器用アプリは、
前記携帯機器に、周波数帯別のゲインを、前記補正パターンデータ、及び、前記難聴パターンデータに基づいて設定し、前記音声信号を増幅させ、前記伝導型振動子へ出力させる請求項１に記載の伝導型補聴器。
【請求項３】
前記伝導型補聴器用アプリは、さらに、
前記携帯機器に、前記難聴パターンデータを前記ユーザからの入力に応じて調整させる請求項２に記載の伝導型補聴器。
【請求項４】
前記伝導型振動子は、
人体頭部の右半分の表皮に接触させるべき右用伝導型振動子と、人体頭部の左半分の表皮に接触させるべき左用伝導型振動子とからなり、
前記携帯機器に記憶されている難聴パターンデータには、右用の難聴パターンデータと、左用の難聴パターンデータとがあり、
前記伝導型補聴器用アプリは、
前記携帯機器に、周波数帯別のゲインを、前記補正パターンデータ、及び、前記右用の難聴パターンデータに基づいて設定し、前記音声信号を増幅させ、前記右用伝導型振動子へ出力させるとともに、周波数帯別のゲインを、前記補正パターンデータ、及び、前記左用の難聴パターンデータに基づいて設定し、前記音声信号を増幅させ、前記左用伝導型振動子へ出力させる請求項２又は３に記載の伝導型補聴器。
【請求項５】
前記伝導型補聴器用アプリは、
前記携帯機器に、周波数帯別のゲインを、前記音声入力機器が拾った音声信号の場合と同様に設定し、前記通信機能を用いて受信される音声信号を増幅させて、前記伝導型振動子へ出力させる請求項１〜４のいずれか１項に記載の伝導型補聴器。
【請求項６】
前記伝導型振動子と前記携帯機器とは、無線接続されており、
前記伝導型振動子は、充電池により駆動する請求項１〜５のいずれか１項に記載の伝導型補聴器。
【請求項７】
通信機能とアプリケーションソフトウェア（以下「アプリ」と記す）を実行する機能とを有する携帯機器において実行される伝導型補聴器用アプリであって、
前記携帯機器には、人体の表皮に接触させて、当該接触部分から体組織を振動させることにより音を伝える伝導型振動子に特有の特性を反映した補正パターンデータが予め記憶されており、
該伝導型補聴器用アプリは、
前記携帯機器に内蔵されるか、あるいは、前記携帯機器に接続されている音声入力機器から、音声信号の入力を受ける入力ステップと、
周波数帯別のゲインを前記補正パターンデータに基づいて設定し、前記音声入力機器から入力を受けた音声信号を増幅する増幅ステップと、
増幅された音声信号を、前記伝導型振動子へ出力する出力ステップとを、前記携帯機器に実行させることを特徴とする伝導型補聴器用アプリ。
【請求項８】
前記携帯機器には、さらに、ユーザに特有の特性を反映した難聴パターンデータが記憶されており、
前記増幅ステップは、
周波数帯別のゲインを、前記補正パターンデータ、及び、前記難聴パターンデータに基づいて設定し、前記音声信号の増幅する請求項７に記載の伝導型補聴器用アプリ。
【請求項９】
前記伝導型補聴器用アプリは、さらに、
前記難聴パターンデータを、前記ユーザからの入力に応じて調整する調整ステップを、前記携帯機器に実行させる請求項８に記載の伝導型補聴器用アプリ。
【請求項１０】
前記伝導型振動子は、人体頭部の右半分の表皮に接触させるべき右用伝導型振動子と、人体頭部の左半分の表皮に接触させるべき左用伝導型振動子とからなり、
前記携帯機器に記憶されている難聴パターンデータには、右用の難聴パターンデータと、左用の難聴パターンデータとがあり、
前記増幅ステップは、
周波数帯別のゲインを、前記補正パターンデータ、及び、前記右用の難聴パターンデータに基づいて設定し、前記音声信号を増幅するとともに、周波数帯別のゲインを、前記補正パターンデータ、及び、前記左用の難聴パターンデータに基づいて設定し、前記音声信号を増幅し、
前記出力ステップは、
前記補正パターンデータ、及び、前記右用の難聴パターンデータを用いて増幅した音声信号を前記右用伝導型振動子へ出力するとともに、前記補正パターンデータ、及び、前記左用の難聴パターンデータを用いて増幅した音声信号を前記左用伝導型振動子へ出力する請求項８又は９に記載の伝導型補聴器用アプリ。
【発明の詳細な説明】
【技術分野】
【０００１】
本発明は、骨伝導等を用いた伝導型補聴器に関し、特に、使い勝手のよい補聴器を安価に提供するための技術に関するものである。
【背景技術】
【０００２】
難聴の方の中には、耳が悪いということを周りに気付かれたくないと思われる方々がおり、このような方々は補聴器を目立たないようにしたいという要望を持っている。このような方々の要望に応えて、外耳道の中に全体が入るような小さな補聴器が販売されている。
【０００３】
このような小さな補聴器は、スピーカとマイクとが同じ筺体内にあり且つかなり近いためハウリングを起こし易く、耳孔を塞いでしまい外耳道の中が蒸れるため長時間装着していると外耳炎を起こす虞がある。
また該補聴器は小さな筺体の中に増幅回路や調整回路がぎっしりと詰まっており、必然的に小さな電池を使うことになるので電池の持ちが悪く、頻繁に電池交換をしなければならないためランニングコストが非常に高い。さらに該補聴器は本体も電池も小さいので電池交換が難しく、頻繁に電池交換をしなければならないとなると特に高齢者に与える負担が非常に大きい。
【０００４】
また、一般的に補聴器は、ユーザの難聴の症状に合わせて音声出力信号の周波数スペクトルを調整することが好ましいが、個々のユーザの難聴の症状は千差万別であり、標準仕様で提供される補聴器ではユーザの症状に合わず、何らかの調整が必要な場合には、メーカや販売店などに補聴器の調整を依頼しなければならない。このようにして個々のユーザの難聴の症状に合わせて調整した補聴器は通常１個あたり数十万円くらいの価格になってしまうため、該補聴器の購入をためらう方や、補聴器を片耳分だけ購入する方が結構多い。
【０００５】
特許文献１には、骨伝導スピーカを用いた耳掛け型補聴器が開示されている。該耳掛け型補聴器は、補聴器を目立たないようにしたいという要望には応えるものではないが、骨伝導スピーカからの出力が空気を介してマイクに届くことがないので、高価なハウリング防止回路が無くてもハウリングの発生を防止することができ、耳穴に当てるだけで骨伝導により音声を正しく聞くことができるので、外耳道の中が蒸れることもない。
また、骨伝導スピーカを用いたヘッドホンが特許文献２、３に開示されている。
【先行技術文献】
【特許文献】
【０００６】
【特許文献１】特開２０１０−１９２９７５号公報
【特許文献２】特開２００７−１５８９２４号公報
【特許文献３】特開２０１１−１３０３３４号公報
【発明の概要】
【発明が解決しようとする課題】
【０００７】
特許文献１の耳掛け型補聴器は、ハウリングを起こし易いという問題と、外耳道の中が蒸れて外耳炎を起こす虞があるという問題の解決に対して効果的ではあるが、ランニングコストが高いという問題と、個々のユーザの難聴の症状に合わせて調整しなければならない場合には補聴器が高価になるという問題には対応できていない。
【０００８】
本発明は以上のような従来の課題を考慮してなされたものであり、ハウリングを起こし難く、外耳道の中が蒸れず、且つ、ランニングコストが安い伝導型補聴器を安価に提供するものである。さらに本発明は、個々のユーザの難聴の症状に合わせて調整しなければならない場合であっても高価にならない伝導型補聴器を提供するものである。
【課題を解決するための手段】
【０００９】
本発明に係る伝導型補聴器は、人体の表皮に接触させて、当該接触部分から体組織を振動させることにより音を伝える伝導型振動子と、通信機能とアプリケーションソフトウェア（以下「アプリ」と記す）を実行する機能とを有する携帯機器と、前記携帯機器にダウンロードされた伝導型補聴器用アプリとを備え、前記携帯機器には、周囲の音声を拾って音声信号に変換する音声入力機器が内蔵されるか、あるいは、接続されており、前記伝導型振動子に特有の特性を反映した補正パターンデータが予め記憶されており、前記伝導型補聴器用アプリは、前記携帯機器に、周波数帯別のゲインを前記補正パターンデータに基づいて設定し、前記音声入力機器が拾った音声信号を増幅させ、前記伝導型振動子へ出力させることを特徴とする。
【００１０】
また、伝導型補聴器において、前記携帯機器には、さらに、ユーザに特有の特性を反映した難聴パターンデータが予め記憶されており、前記伝導型補聴器用アプリは、前記携帯機器に、周波数帯別のゲインを、前記補正パターンデータ、及び、前記難聴パターンデータに基づいて設定し、前記音声信号を増幅させ、前記伝導型振動子へ出力させることが好ましい。
【００１１】
また、前記伝導型補聴器用アプリは、さらに、前記携帯機器に、前記難聴パターンデータを前記ユーザからの入力に応じて調整させることが好ましい。
【００１２】
また、伝導型補聴器において、前記伝導型振動子は、人体頭部の右半分の表皮に接触させるべき右用伝導型振動子と、人体頭部の左半分の表皮に接触させるべき左用伝導型振動子とからなり、前記携帯機器に記憶されている難聴パターンデータには、右用の難聴パターンデータと、左用の難聴パターンデータとがあり、前記伝導型補聴器用アプリは、前記携帯機器に、周波数帯別のゲインを、前記補正パターンデータ、及び、前記右用の難聴パターンデータに基づいて設定し、前記音声信号を増幅させ、前記右用伝導型振動子へ出力させるとともに、周波数帯別のゲインを、前記補正パターンデータ、及び、前記左用の難聴パターンデータに基づいて設定し、前記音声信号を増幅させ、前記左用伝導型振動子へ出力させることが好ましい。
【００１３】
また、伝導型補聴器において、前記伝導型補聴器用アプリは、前記携帯機器に、周波数帯別のゲインを、前記音声入力機器が拾った音声信号の場合と同様に設定し、前記通信機能を用いて受信される音声信号を増幅させて、前記伝導型振動子へ出力させることが好ましい。
【００１４】
また、伝導型補聴器において、前記伝導型振動子と前記携帯機器とは、無線接続されており、前記伝導型振動子は、充電池により駆動することが好ましい。
【００１５】
本発明に係る伝導型補聴器用アプリは、通信機能とアプリを実行する機能とを有する携帯機器において実行される伝導型補聴器用アプリであって、前記携帯機器には、人体の表皮に接触させて、当該接触部分から体組織を振動させることにより音を伝える伝導型振動子に特有の特性を反映した補正パターンデータが予め記憶されており、該伝導型補聴器用アプリは、前記携帯機器に内蔵されるか、あるいは、前記携帯機器に接続されている音声入力機器から、音声信号の入力を受ける入力ステップと、周波数帯別のゲインを前記補正パターンデータに基づいて設定し、前記音声入力機器から入力を受けた音声信号を増幅する増幅ステップと、増幅された音声信号を、前記伝導型振動子へ出力する出力ステップとを、前記携帯機器に実行させることを特徴とする。
【００１６】
また、伝導型補聴器用アプリにおいて、前記携帯機器には、さらに、ユーザに特有の特性を反映した難聴パターンデータが記憶されており、前記増幅ステップは、周波数帯別のゲインを、前記補正パターンデータ、及び、前記難聴パターンデータに基づいて設定し、前記音声信号の増幅することが好ましい。
【００１７】
また、前記伝導型補聴器用アプリは、さらに、前記難聴パターンデータを、前記ユーザからの入力に応じて調整する調整ステップを、前記携帯機器に実行させることが好ましい。
【００１８】
また、伝導型補聴器用アプリにおいて、前記伝導型振動子は、人体頭部の右半分の表皮に接触させるべき右用伝導型振動子と、人体頭部の左半分の表皮に接触させるべき左用伝導型振動子とからなり、前記携帯機器に記憶されている難聴パターンデータには、右用の難聴パターンデータと、左用の難聴パターンデータとがあり、前記増幅ステップは、周波数帯別のゲインを、前記補正パターンデータ、及び、前記右用の難聴パターンデータに基づいて設定し、前記音声信号を増幅するとともに、周波数帯別のゲインを、前記補正パターンデータ、及び、前記左用の難聴パターンデータに基づいて設定し、前記音声信号を増幅し、前記出力ステップは、前記補正パターンデータ、及び、前記右用の難聴パターンデータを用いて増幅した音声信号を前記右用伝導型振動子へ出力するとともに、前記補正パターンデータ、及び、前記左用の難聴パターンデータを用いて増幅した音声信号を前記左用伝導型振動子へ出力することが好ましい。
【発明の効果】
【００１９】
本発明の補聴器は、伝導型振動子を出力に用いる伝導型補聴器であって、通信機能とアプリを実行する機能とを有するスマートホン等の汎用の携帯機器を活用して、伝導型補聴器用アプリにより、周波数帯別のゲインを、伝導型振動子に特有の特性を反映した補正パターンデータに基づいて設定し、携帯機器に付随する音声入力機器が拾った音声信号を増幅させ、伝導型振動子から出力させる。
【００２０】
本発明の補聴器では、伝導型振動子が音声入力機器と同じ筺体内になく、且つ伝導型振動子からの出力が空気を介して音声入力機器に入ることもないので、ハウリングを極めて起こし難く、さらに、耳道を塞ぐ必要がないので外耳道の中が蒸れることもない。
【００２１】
本発明の補聴器では、補聴器専用のハードウェアを用いることなく、汎用的な機器だけで補聴器を構成することができるため、ユーザが既に所有している機器を有効に活用したり、量産効果等により割安になった機器を購入することにより、安価に補聴器を構成することができる。
【００２２】
本発明の補聴器では、増幅や調整を汎用的な携帯機器で行うので、伝導型振動子として骨伝導ヘッドホンなどの汎用的な出力機器を用いることができるため、傍から見ると健聴者が音楽等を聴いているのと見分けがつかず、耳が悪いということを周りに気付かれ難い。
【００２３】
例えば伝導型振動子を有線で携帯機器に接続する場合には、携帯機器側のバッテリを動力源とすることができるので、伝導型振動子用の電池が特に必要でないため、ランニングコストを安くすることができる。一方伝導型振動子を無線で携帯機器に接続する場合であっても、充電池を内蔵する汎用的な出力機器を用いることができるため、やはりランニングコストを安くすることができる。
【００２４】
伝導型補聴器用アプリはさらに、周波数帯別のゲインを、補正パターンデータ及びユーザの難聴の症状を反映した難聴パターンデータに基づいて設定し音声信号を増幅させ、伝導型振動子へ出力させることができるので、個々のユーザの難聴の症状に合わせて音声出力信号の周波数帯別のゲインを調整することができる。
【００２５】
伝導型補聴器用アプリはさらに、難聴パターンデータを、ユーザに調整させることができるので、個々のユーザの難聴の症状に合わせて調整した補聴器を安価に提供することができる。
【図面の簡単な説明】
【００２６】
【図１】実施形態１に係る伝導型補聴器の概要を示す図である。
【図２】骨伝導ヘッドホンの出力周波数に対する出力特性を示すグラフである。
【図３】伝導型補聴器用アプリが携帯機器に実行させる処理の手順を示す流れ図である
【図４】実施形態２に係る伝導型補聴器の概要を示す図である。
【図５】難聴パターン調整用アプリが、携帯機器に実行させる処理の手順を示す流れ図である。
【発明を実施するための形態】
【００２７】
＜実施形態１＞
以下、図面に示した実施形態に基づいて本発明を詳細に説明する。
＜構成＞
図１に示す実施形態１に係る伝導型補聴器１は、骨伝導ヘッドホン１０、携帯機器２０及び伝導型補聴器用アプリ３０を備える。なお、伝導型補聴器用アプリ３０はソフトウェアなので実体はないが、仮想的に図１中において破線で記載している。
【００２８】
骨伝導ヘッドホン１０は、人体の首よりも上の表皮に接触させて、接触部分から体組織を振動させることにより音を伝える伝導型振動子１１を搭載する。伝導型振動子１１は、人体の首よりも上の頭部右半分の表皮に接触させるべき右用伝導型振動子１１Ｒと、人体の首よりも上の頭部左半分の表皮に接触させるべき左用伝導型振動子１１Ｌとからなる。
【００２９】
例えば骨伝導ヘッドホン１０は、本発明者が主に音楽用に販売しているものであり（特許文献２、特許文献３参照）、右用伝導型振動子１１Ｒを右耳の穴の１〜２ｃｍ前方の表皮に接触させ、左用伝導型振動子１１Ｌを左耳の穴の１〜２ｃｍ前方の表皮に接触させることで、ユーザの頭蓋骨に直接音声振動を与え、音を伝えることができる（特許文献３参照）。ここで骨伝導ヘッドホン１０は、有線で携帯機器２０に接続するものであるが、Ｂｌｕｅｔｏｏｔｈ（登録商標）（ブルートゥース）等の無線で携帯機器２０に接続するものであってもよい。なお無線受信用の電源には、充電池を用いることが好ましい。
【００３０】
本来伝導型振動子は、人体の表皮に接触させて、当該接触部分から体組織を振動させることによりユーザに音を聞かせるものであり、特に人体の首から上の部分であれば、どこに接触させても十分にユーザに音を聞かせることができる。例えば後頭部などの一箇所に伝導型振動子を接触させて、両耳から聞いているかのようにユーザに音を聞かせることもできる。
【００３１】
携帯機器２０は、通信機能とアプリを実行する機能とを有するスマートホン等の汎用の携帯機器である。携帯機器２０は、マイク等の周囲の音声を拾って音声信号に変換する音声入力機器２１が内蔵されており、さらに、フラットディスプレイ等の表示機器２２、及びタッチパネルや入力ボタン等の入力機器２３を含む。なお、該音声入力機器２１は、音声入力端子２４に接続された外部マイクであってもよい。
【００３２】
携帯機器２０内のメモリ２５には、伝導型振動子１１に特有の特性を反映した補正パターンデータ３１が予め記憶されている。なお、補正パターンデータ３１はデータなので実体はないが、仮想的に図１中において破線で記載している。
伝導型振動子１１は、一般的な音声振動子と比較して出力特性が異なるため、汎用機器である携帯機器２０に伝導型振動子を用いる場合には、伝導型振動子用に調整を施すことが望ましい。
【００３３】
図２は、周波数の全域にわたり、フラットな入力信号（ここでは８００ｍＶ）を与えた際の、骨伝導ヘッドホンの周波数（Ｆｒｅｑ）に対する音圧（ＳＰＬ）出力特性を示すグラフである。図２中のＡ及びＢはそれぞれ、本発明者が販売する商品名「オーディオボーンアクア＼ＡＵＤＩＯＢＯＮＥＡＱＵＡ（登録商標）」の左側及び右側の特性を示す。図２中のＣ及びＤはそれぞれ、本発明者が販売する商品名「ＡＵＤＩＯＢＯＮＥ＼オーディオボーン（登録商標）」の左側及び右側の特性を示す。
【００３４】
図２のデータに基づいて、出力が低い周波数帯ではゲインを上げ、逆に出力が高い周波数帯ではゲインを抑えることにより、入力信号に忠実な出力信号が得られるように補正パターンデータ３１を作成して、携帯機器２０内のメモリに予め記憶しておく。なお、図２に示すように骨伝導ヘッドホンの出力特性は機種毎に異なるので、補正パターンデータ３１を骨伝導ヘッドホンの機種毎に作成して記憶しておき、携帯機器２０に手動又は自動の機種設定機能を備えることが好ましい。また、補正パターンデータ３１において、人の声を聞こえ易くするために、一般的な人の発声域の周波数帯のゲインを、他の領域の周波数帯のゲインよりも高く設定することもできる。
【００３５】
伝導型補聴器用アプリ３０は、携帯機器２０にダウンロードされており、携帯機器２０に、周波数帯別のゲインを補正パターンデータ３１に基づいて設定し、音声入力機器２１が拾った音声信号を増幅させ、伝導型振動子１１へ出力させる。
【００３６】
＜動作＞
図３は、伝導型補聴器用アプリ３０が、携帯機器２０に実行させる処理の手順を示す流れ図である。
（１）音声入力機器２１から音声信号の入力を受ける（入力ステップ）。
（２）周波数帯別のゲインを補正パターンデータ３１に基づいて設定し、音声入力機器２１から入力を受けた音声信号を増幅させる（増幅ステップ）。
（３）増幅された音声信号を、伝導型振動子１１へ出力する（出力ステップ）。
【００３７】
実施形態１に係る伝導型補聴器１によれば、骨伝導スピーカと音声入力機器とが別の筺体にあって離れており、且つ骨伝導スピーカからの出力が空気を介してマイクに入ることもないので、ハウリングを極めて起こし難い上、耳道を塞ぐ必要がないので、外耳道の中が蒸れることもない。
さらに伝導型補聴器１によれば、補聴器専用のハードウェアを用いることなく、汎用的な機器だけで補聴器を構成することができるため、既に所有する機器を有効に活用することにより、安価に補聴器を入手することが可能である。
【００３８】
＜実施形態２＞
＜構成＞
図４に示す実施形態２に係る伝導型補聴器２は、骨伝導ヘッドホン１０、携帯機器２０及び伝導型補聴器用アプリ４０を備える。なお、伝導型補聴器用アプリ４０はソフトウェアなので実体はないが、仮想的に図４中において破線で記載している。
実施形態２に係る伝導型補聴器２は、実施形態１に係る伝導型補聴器１が備える伝導型補聴器用アプリ３０を、伝導型補聴器用アプリ４０に置き換えたものである。
【００３９】
個々のユーザの難聴の症状は千差万別であるため、音声入力機器２１が拾った音声信号を、補正パターンデータ３１を用いて伝導型振動子１１用に調整を施すだけでなく、さらにユーザ毎に固有の難聴の症状に合わせて調整を施すことが望ましい。
【００４０】
携帯機器２０内のメモリ２５には、実施形態１と同様に補正パターンデータ３１が予め記憶され、さらに、ユーザに固有の難聴の症状を反映した難聴パターンデータ４１が予め記憶されている。
難聴パターンデータ４１は、個々のユーザに固有の難聴の症状に合わせて調整を施す際の、周波数帯毎のゲインを表したものであり、従来の補聴器で用いられているものと同等のものである。
【００４１】
なお、ユーザの難聴の症状が右耳と左耳で異なる場合には、難聴パターンデータ４１は、右用の難聴パターンデータ４１Ｒと、左用の難聴パターンデータ４１Ｌとに分かれている。なお、右用の難聴パターンデータ４１Ｒ、及び左用の難聴パターンデータ４１Ｌはともに、データなので実体はないが、仮想的に図４中において破線で記載している。
【００４２】
また、記憶する難聴パターンデータ４１として、いくつかの代表的なパターンデータを準備しておき、ユーザがどのパターンデータを用いるかを任意に選択できるようにすることもできる。また、予め準備された難聴パターンデータにユーザが変更を加えて自分用に調整して繰返し利用することができるように、難聴パターンデータ調整用のアプリを組み込むこともできる。また、特定の人の声を聞こえ易くするために、特定の人の発声域の周波数帯のゲインを、他の領域の周波数帯のゲインよりも高めに設定することもできる。
【００４３】
伝導型補聴器用アプリ４０は、携帯機器２０にダウンロードされており、携帯機器２０に、周波数帯別のゲインを、補正パターンデータ３１及び難聴パターンデータ４１に基づいて設定し、音声入力機器２１が拾った音声信号を増幅させ、伝導型振動子１１へ出力させる。
【００４４】
なお、ユーザの難聴の症状が右耳と左耳で異なる場合には、伝導型補聴器用アプリ４０は、携帯機器２０に、周波数帯別のゲインを、補正パターンデータ３１、及び、右用の難聴パターンデータ４１Ｒに基づいて設定し、音声信号を増幅させ、右用伝導型振動子１１Ｒへ出力させるとともに、周波数帯別のゲインを、補正パターンデータ３１、及び、左用の難聴パターンデータ４１Ｌに基づいて設定し、音声信号を増幅させ、左用伝導型振動子１１Ｌへ出力させる。
【００４５】
また、通信機能を用いて会話を行う際において、伝導型補聴器用アプリ４０は、携帯機器２０に、周波数帯別のゲインを、音声入力機器が拾った音声信号の場合と同様に設定し、通信機能を用いて受信される音声信号を増幅させて、伝導型振動子１１へ出力させることが好ましい。
【００４６】
伝導型補聴器用アプリ４０が、携帯機器２０に実行させる処理の手順は、実施形態１の図３に示した伝導型補聴器用アプリ３０と同様である。
実施形態２に係る伝導型補聴器２によれば、個々のユーザの難聴の症状に合わせて音声出力信を増幅することができる。
【００４７】
＜実施形態３＞
＜構成＞
実施形態３に係る伝導型補聴器３（図示せず）は、実施形態２に係る伝導型補聴器２が備える伝導型補聴器用アプリ４０を、伝導型補聴器用アプリ５０（図示せず）に置き換えたものである。なお、伝導型補聴器３の概要は実施形態２に係る伝導型補聴器２と同様なので、図を省略する。
【００４８】
伝導型補聴器用アプリ５０は、伝導型補聴器用アプリ４０に、さらに、難聴パターンデータ調整用アプリ５１（図示せず）を組み込んだものである。
難聴パターンデータ調整用アプリ５１は、携帯機器２０内のメモリ２５に記憶する難聴パターンデータ４１を、ユーザからの入力に応じて調整させることを、携帯機器２０に実行させるものである。
【００４９】
＜動作＞
図５は、難聴パターンデータ調整用アプリ５１が、携帯機器２０に実行させる調整処理の手順を示す流れ図である。
（１）ユーザが、表示機器２２に表示されるメニューの中から、「難聴パターン調整」を選択すると、調整のベースとなる難聴パターンデータの選択肢を表示機器２２に提示して、ユーザによる選択入力を待つ（選択ステップ）。
【００５０】
（２）ユーザにより入力機器２３を用いて難聴パターンデータの１つが選択されると、選択された難聴パターンデータを用いて伝導型補聴器が起動し、表示機器２２上に、選択された難聴パターンデータの周波数帯別のゲインを表す棒グラフが表示される（グラフ表示ステップ）。
【００５１】
（３）ユーザは入力機器２３を用いて画面上のカーソルを移動させるなどして、表示機器２２上に表示された周波数帯別の各棒グラフの長さを調整する（調整ステップ）。ここで該調整と連動して伝導型補聴器のゲインが変動するので、ユーザは、変化を体感しながら調整することができる。具体的には、ユーザがある周波数帯の棒グラフの長さを変更すると、変更されたゲインに対応する音量で、その周波数帯の中心の周波数で人の声等（例えば「こんにちは」）が出力される。ユーザは、聞こえてきた声等が一番聞きやすいところを、周波数帯別に探して設定することで、周波数の全域にわたり難聴パターンデータを調整することができる。
【００５２】
（４）調整が終了すると、調整した難聴パターンデータに新しい名称を付けて新規保存するか、あるいは、（１）で選択した難聴パターンデータを上書きする（保存ステップ）。
【００５３】
実施形態３に係る伝導型補聴器３によれば、難聴パターンデータをユーザに調整させることができるので、難聴の症状に合わせて調整した補聴器を安価に提供することができる。
【符号の説明】
【００５４】
１    伝導型補聴器
２    伝導型補聴器
１０    骨伝導ヘッドホン
１１    伝導型振動子
１１Ｒ  右用伝導型振動子
１１Ｌ  左用伝導型振動子
２０    携帯機器
２１    音声入力機器
２２    表示機器
２３    入力機器
２４    音声入力端子
２５    メモリ
３０    伝導型補聴器用アプリ
３１    補正パターンデータ
４０    伝導型補聴器用アプリ
４１    難聴パターンデータ
４１Ｒ  右用の難聴パターンデータ
４１Ｌ  左用の難聴パターンデータ
【図１】
2014236439.tif 000003
【図３】
2014236439.tif 000004
【図４】
2014236439.tif 000005
【図５】
2014236439.tif 000006
【図２】
2014236439.tif 000007